(57)【要約】
【課題】　ヒップの筋肉による運動量及び運動の効率を強化するヒップを鍛えるボディービル用具を提供する。
【解決手段】　底板の両側に上向きの凸耳部１２を一対及び外向きのハンドルバー１３を一対有し、底板上にシード１４を有し、凸耳部１２に枢軸孔を有する基座１０と、下向きの力を受けて立ち上がる二つの動揺アーム２１が一対の凸耳部１２の枢軸孔に設置され、動揺アーム２１の両端がそれぞれ腰支持棒２４及び二つの足掛け棒２５に連接される動揺架２０とを備える。
【選択図】　　図２
0003100152.tif 000002
【実用新案登録請求の範囲】
【請求項１】
　底板の両側に上向きの凸耳部を一対及び外向きのハンドルバーを一対有し、底板上にシードを有し、凸耳部に枢軸孔を有する基座と、
　下向きの力を受けて立ち上がる二つの動揺アームが一対の凸耳部の枢軸孔に設置され、動揺アームの両端がそれぞれ腰支持棒及び二つの足掛け棒に連接される動揺架と、
　を備えることを特徴とするヒップを鍛えるボディービル用具。
【請求項２】
　ハンドルバーは、素早くに取り外すことが可能であることを特徴とする請求項１に記載のヒップを鍛えるボディービル用具。
【請求項３】
　枢軸孔は、高低のある多孔となるように設けられることを特徴とする請求項１に記載のヒップを鍛えるボディービル用具。
【請求項４】
　腰支持棒は、取り外しの素早い三段式により両アームに連接されることを特徴とする請求項１に記載のヒップを鍛えるボディービル用具。
【請求項５】
　腰支持棒の中段は、ソフトクッションを有することを特徴とする請求項４に記載のヒップを鍛えるボディービル用具。
【請求項６】
　二つの足掛け棒は、多方向且つ取り外しの素早いような方式により両アームに連接されることを特徴とする請求項１に記載のヒップを鍛えるボディービル用具。
【考案の詳細な説明】
【技術分野】
【０００１】
　本考案は、ヒップを鍛えるボディービル用具に関するものであり、特に、ヒップの筋肉による運動量及び運動の効率を強化するものに関わる。
【背景技術】
【０００２】
　日常生活において、各種の動きでは、ヒップの筋肉を使うことは極めて少ないため、多くの人は年を取るのに伴いヒップのラインが崩れていく。市販のヒップの筋肉を鍛えるボディービル用具は僅かであるが、もっぱらヒップを鍛えるために設計されたものではなく、身体のほかの部位を鍛える際、ヒップの筋肉が運動させられるものである。従って、ヒップの筋肉に十分な運動量を与えることは不可能であり、ヒップの筋肉を鍛える効果には限りがある。
【考案の開示】
【考案が解決しようとする課題】
【０００３】
　本考案の主な目的は、先行技術によりヒップの筋肉を鍛える効果が優れないという問題点を解決し、ヒップの筋肉による運動量及び運動の効率を強化するヒップを鍛えるボディービル用具を提供することにある。
【課題を解決するための手段】
【０００４】
　上述の目的を達成するためには、本考案の特徴は、底板の両側は上向きの凸耳部を一対及び外向きのハンドルバーを一対有し、底板上にシードを有し、凸耳部に枢軸孔を有する基座と、下向きの力を受けて立ち上がる二つの動揺アームが一対の凸耳部の枢軸孔に設置され、動揺アームの両端がそれぞれ腰支持棒及び二つの足掛け棒に連接される動揺架とを備えることである。
【考案を実施するための最良の形態】
【０００５】
　図１及び図２に示すように、本考案の一実施例によるヒップを鍛えるボディービル用具は、基座１０と動揺架２０とを備えるものである。
　基座１０は底板１１の両側に上向きの凸耳部１２を一対及び外向きのハンドルバー１３を一対有し、底板上にシードを有し、凸耳部１２に枢軸孔１５を有するものであり、又、ハンドルバー１３は素早くに取り外すことが可能であり、枢軸孔１５は高低のある多孔となるように設けられる。
【０００６】
　動揺アーム２０は、枢軸２２及び固定ユニット２３とキャップ２７との組合せにより、下向きの力を受けて立ち上がる二つの動揺アーム２１が一対の凸耳部１２の枢軸孔１５に設置され、動揺アーム２１の両端がそれぞれ腰支持棒２４及び二つの足掛け棒２５に連接されるものであり、そのうち、腰支持棒２４は取り外しの素早い三段式により両アーム２１の一端に連接され、その中段にソフトクッション２６を有し、二つの足掛け棒２５は多方向且つ取り外しの素早いような方式により両アーム２１の他端に連接される。
【０００７】
　上述の構成により、図３に示すように、θ１は動揺架２０の角度となり、θ２は二つの足掛け棒２５の下へ圧迫可能な最大角度となるため、動揺アーム２１を位置の比較的低い枢軸孔１５に設置するとしたら、二つの足掛け棒２５の端部の高度を下がらせるようになる。つまり二つの足掛け棒２５の下へ圧迫可能な最大角度をθ２より小さくするには、動揺架２０の動揺の角度を調整すればよいのである。又、図４に示すように、二つの足掛け棒２５は多方向且つ取り外しの素早いような方式により設けられるため、多種の方位による設置の状態（図に示されるのは上下左右の四つの方位である）を有する。従って、使用者は体格又は需要により足掛けの設置の方位を選択することが可能である。
【０００８】
　図５に示すように、本実施例を使用する場合、膝を曲げて仰ぐ姿勢で腰の部位を腰支持棒２４の上方に位置付け、両足を二つの足掛け棒２５に乗せて、両手でハンドルバー１３を握って、その後、図６に示すように、両足及びヒップの力により二つの足掛け棒２５を下へ押さえることで、他端の腰支持棒２４が上昇し、腰を支えるようになる。体を上げる姿勢を維持する過程において、ヒップの筋肉は十分に運動させられるため、ヒップの筋肉を鍛えることによりしっかりすることが可能である。図７に示すように、二つの足掛け棒２５を下向きに曲がるような形態にするとしたら、腕立伏せのトレーニングとして使用することが可能である。その他に、多種の異なるトレーニングを達成する形態を提供するが、詳しい説明を省略する。
【０００９】
　上述をまとめてみると、本実施例は動揺架２０のシーソー運動により普段極めて使われていないヒップの筋肉を十分に動かし、体のバランスを支持し、ヒップの筋肉による運動量及び運動の効率を強化する効果を果たすことである。
【図面の簡単な説明】
【００１０】
【図１】本考案の一実施例によるヒップを鍛えるボディービル用具を示す分解斜視図である。
【図２】本考案の一実施例によるヒップを鍛えるボディービル用具を示す斜視図である。
【図３】本考案の一実施例によるヒップを鍛えるボディービル用具を示す側面図である。
【図４】本考案の一実施例によるヒップを鍛えるボディービル用具の足掛け棒の装着の形態を示す斜視図である。
【図５】本考案の一実施例によるヒップを鍛えるボディービル用具の使用状態（一）を示す模式図である。
【図６】本考案の一実施例によるヒップを鍛えるボディービル用具の使用状態（二）を示す模式図である。
【図７】本考案の一実施例によるヒップを鍛えるボディービル用具の使用状態（三）を示す模式図である。
【符号の説明】
【００１１】
　１０　基座、１１　底板、１２　凸耳部、１３　ハンドルバー、１４　シード、１５　枢軸孔、２０　動揺架、２１　動揺アーム、２２　枢軸、２３　固定ユニット、２４　腰支持棒、２５　足掛け棒、２６　ソフトクッション、２７　キャップ
【図１】
0003100152.tif 000003
【図２】
0003100152.tif 000004
【図３】
0003100152.tif 000005
【図４】
0003100152.tif 000006
【図５】
0003100152.tif 000007
【図６】
0003100152.tif 000008
【図７】
0003100152.tif 000009